(57)【要約】      （修正有）【課題】建築作業現場等で使用された多数枚のシートの折り畳みを作業者一人で迅速、かつ整然と行える折畳み方法を提供する。【解決手段】鳩目付のシートＳ1の特定の一辺の側のみを折畳み方向と直交する方向に沿って所定長に亘って部分的に折り畳んで、ほぼ同一位置に重ね合せられた複数の鳩目Ｐ1を、作業現場の適所に固定された鳩目引掛け具Ｅ1の鳩目引掛け部の挿入部６ａに挿入し引掛係止部６ｃ，６ｄに係止することで、シートＳ1の部分的な折畳み状態を保持しておいて、シートＳ1の前記特定の一辺と対向する対向辺の側において、当該シートＳ1を折畳み方向と直交する方向に引っ張りながら、特定の一辺の側と同一の状態に折り畳む。【選択図】図４
2016023447.tif 000002
【特許請求の範囲】
【請求項１】
周縁部に鳩目が設けられた鳩目付のシートを作業者一人で折り畳む方法であって、
前記シートの特定の一辺の側において折畳み方向と直交する方向に沿って所定長だけ部分的に重ね合せることで、前記特定の一辺の側においてほぼ重ね合せられた複数の鳩目を挿入して引っ掛けるための鳩目引掛け部を備えた鳩目引掛け具を使用し、
前記シートの特定の一辺の側のみを折畳み方向と直交する方向に沿って所定長に亘って部分的に折り畳んで、ほぼ同一位置に重ね合せられた複数の鳩目を、作業現場の適所に固定された前記鳩目引掛け具の鳩目引掛け部に挿入して引っ掛けることで、シートの部分的な折畳み状態を保持しておいて、
前記シートの前記特定の一辺と対向する対向辺の側において、当該シートを折畳み方向と直交する方向に引っ張りながら、前記特定の一辺の側と同一の状態に折り畳むことを特徴とするシートの折畳み方法。
【請求項２】
鳩目なしシートを作業者一人で折り畳む方法であって、
前記シートの特定の一辺の側において折畳み方向と直交する方向に沿って所定長だけ部分的に重ね合せて折り畳んだ部分に突刺させて、部分的な当該折畳み状態を保持するシート突刺部を備えた折畳み状態保持具を使用し、
前記シートの特定の一辺の側のみを折畳み方向と直交する方向に沿って所定長に亘って部分的に折り畳んで、シートにおける部分的な当該折畳み部に前記折畳み状態保持具の突刺部を突刺させて、シートの部分的な折畳み状態を保持しておいて、
前記シートの特定の一辺と対向する対向辺の側において、当該シートを折畳み方向と直交する方向に引っ張りながら、前記特定の一辺の側と同一の状態に折り畳むことを特徴とするシートの折畳み方法。
【請求項３】
鳩目付又は鳩目なしのシートの特定の一辺の側の折畳み方向と直交する方向に沿った所定長の部分を１又は複数回だけ折り畳んで最終的な折畳み状態にしておいて、
前記シートの前記特定の一辺と対向する対向辺の側において、当該シートを折畳み方向と直交する方向に沿って引っ張りながら、前記特定の一辺の側と同一回数だけ折り畳むことで、前記鳩目引掛け具からシートの前記対向辺の側への折畳み作業者の単に１回の移動により、当該シートの折り畳みを可能にしたことを特徴とする請求項１又は２に記載のシートの折畳み方法。
【請求項４】
作業現場の適所に固定されて、請求項１又は３に記載の鳩目付のシートの折畳み方法に使用される鳩目引掛け具であって、
前記シートの特定の一辺の側において折畳み方向と直交する方向に沿って所定長だけ部分的に重ね合せることで、前記特定の一辺の側においてほぼ重ね合せられた複数の鳩目を挿入して引っ掛けるための鳩目引掛け部を備えていることを特徴とする鳩目引掛け具。
【請求項５】
作業現場の適所に固定される固定部と、当該固定部に対して遊動可能に連結された一対の鳩目引掛け部とから成ることを特徴とする請求項４に記載の鳩目引掛け具。
【請求項６】
作業現場の適所に固定されて、請求項２又は３に記載の鳩目なしのシートの折畳み方法に使用される折畳み状態保持具であって、
前記シートの特定の一辺の側において折畳み方向と直交する方向に沿って所定長だけ部分的に重ね合せて折り畳んだ部分に突刺させて、部分的な当該折畳み状態を保持するシート突刺部を備えていることを特徴とする折畳み状態保持具。
【請求項７】
１本の太い金属線を折り曲げて形成されていることを特徴とする請求項４又は５に記載の鳩目引掛け具。
【請求項８】
１本の太い金属線を折り曲げて形成されていることを特徴とする請求項６に記載の折畳み状態保持具。
【発明の詳細な説明】
【技術分野】
【０００１】
本発明は、シートの折り畳みを一人の作業者で行えるシートの折畳み方法、鳩目引掛け具、及び折畳み状態保持具に関するものである。
【０００２】
本発明における折り畳みの対象のシートとしては、「鳩目付シート」と「鳩目なしシート」とがあるが、「鳩目付シート」とは、周縁部に固定用の鳩目が設けられていて、工事中の建物の隠蔽、発生するゴミ類の飛散防止等のために、当該建物の周囲を覆うシート、建物の塗装工事において、飛散塗料を付着させるために、建物の周囲を覆うシート等の種々の用途のシートが含まれ、或いは名称の如何を問わず「ネット」，「メッシュ」と称されるものも含まれる。
また、図１２に示されるように、「鳩目Ｐ」は、一般に軽金属で製作されているが、シート本体の周縁部に狭幅の繊維編成物５１が一体に縫着されて、当該繊維編成物５１に一定ピッチをおいて「繊維鳩目」と称される引っ掛け用の「孔部５２」が設けられているシートにおける当該「孔部５２」も本発明における「鳩目」に含まれる。
【０００３】
また、本明細書において、符号を付さずに使用する一般的な用語である「シート」は、「鳩目付シート」と「鳩目なしシート」の双方を含む概念であり、「シート」のうち鳩目付のシート又は鳩目なしのシートを特定する場合には、それぞれ「鳩目付シート」及び「鳩目なしシート」と表示する。
【背景技術】
【０００４】
例えば、建築工事においては、特許文献１に示されるように、建物の周囲に仮設された足場に鳩目付のシートを取付けることで、当該建物を覆っており、当該シートは、その周縁部に一定ピッチをおいて設けられた鳩目を利用して、足場を構成するパイプ部材に紐類を介して連結される。
【０００５】
ここで、我が国の建築工事業界においては、使用人を有することなく、請け負った作業を一人で行う「一人親方」と称される業者が多数存在する。
【０００６】
上記した建物の周囲をシートで覆う作業は、シートの鳩目の部分を足場のパイプ部材に順次連結することで、一人でも行える。しかし、足場から取り外したシートを折り畳むのを一人で行おうとすると、一人の作業者が、シートの折畳み方向に対して直交する被折畳み方向に沿って何回も往復移動する必要があって、折り畳みに時間を要するのみならず、一人では鳩目付シートを被折畳み方向に引っ張ることができないので、折り畳まれたシートは、大きく膨らんだ状態になってしまい、トラックの荷台に載せて運搬する際には、嵩張ることで、荷台のスペースを大きく占有してしまう。
【０００７】
また、工事現場で使用されるシートの枚数は多いので、多数枚のシートを限定された時間内に一人で折り畳む作業は、多大の労力と時間を要し、しかも嵩張らずに偏平に折り畳むことができないため、「一人親方」にとっては、厄介な作業であった。
【０００８】
また、使用人を有する業者にとっても、仕事の配分の関係等からして、シートの折り畳みを一人で行わざるを得ない事態が発生し得る。
【０００９】
現実の建築工事業界におけるシートの折畳み作業の実情は、上記した通りであって、一切の改善がなされていない。
【先行技術文献】
【特許文献】
【００１０】
【特許文献１】実用新案登録第３１４０２８１号公報
【発明の概要】
【発明が解決しようとする課題】
【００１１】
本発明は、建築作業現場等で使用された多数枚のシートの折り畳みを作業者一人で迅速、かつ整然と行えるようにすることを課題としている。
【課題を解決するための手段】
【００１２】
上記課題を解決するための請求項１の発明は、周縁部に鳩目が設けられた鳩目付のシートを作業者一人で折り畳む方法であって、前記シートの特定の一辺の側において折畳み方向と直交する方向に沿って所定長だけ部分的に重ね合せることで、前記特定の一辺の側においてほぼ重ね合せられた複数の鳩目を挿入して引っ掛けるための鳩目引掛け部を備えた鳩目引掛け具を使用し、前記シートの特定の一辺の側のみを折畳み方向と直交する方向に沿って所定長に亘って部分的に折り畳んで、ほぼ同一位置に重ね合せられた複数の鳩目を、作業現場の適所に固定された前記鳩目引掛け具の鳩目引掛け部に挿入して引っ掛けることで、シートの部分的な折畳み状態を保持しておいて、前記シートの前記特定の一辺と対向する対向辺の側において、当該シートを折畳み方向と直交する方向に引っ張りながら、前記特定の一辺の側と同一の状態に折り畳むことを特徴としている。
【００１３】
請求項１の発明によれば、作業者は、作業現場の適所に鳩目引掛け具を固定し、シートの特定の一辺の側のみを折畳み方向と直交する方向に沿って所定長に亘って部分的に折り畳むことで、複数の鳩目がほぼ同一位置に重ね合せられ、重ね合せられた複数の鳩目を前記鳩目引掛け具の鳩目引掛け部に挿入して引っ掛けることで、シートにおける前記特定の一辺の側において、当該シートは、被折畳み方向に沿って部分的に重ね合せられて、部分的な折畳み状態が保持される。この状態で、作業者は、前記特定の一辺の側と対向する対向辺の側において、当該シートを被折畳み方向に引っ張ることで、シートを順次折り畳むことができる。
【００１４】
ここで、シートを部分的に折り畳むことで、重ね合せられた複数の鳩目は、その全てを鳩目引掛け具の鳩目引掛け部に挿入して引っ掛ける必要はなく、シートの部分的な折畳み状態で保持できれば、重ね合せられた複数の鳩目の一部のみを鳩目引掛け具の鳩目引掛け部に挿入して引っ掛けてもよく、更に、シートの鳩目と、鳩目引掛け部に対する鳩目引掛け具の部分のシートの突刺との併用によって、シートの部分的な折り畳み状態を保持させてもよい。
【００１５】
このように、シートの特定の一辺の側においては、シートを引っ張ると、当該シートは、恰も、鳩目引掛け具の側において別の作業者が引っ張っている状態を実現できるので、作業者一人でシートを迅速に、しかも整然と折り畳むことが可能となる。また、シートの鳩目の部分を鳩目引掛け具の鳩目引掛け部に引っ掛けているので、シートを引っ張っても、当該シートは損傷されない。
【００１６】
請求項２の発明は、鳩目なしシートを作業者一人で折り畳む方法であって、前記シートの特定の一辺の側において折畳み方向と直交する方向に沿って所定長だけ部分的に重ね合せて折り畳んだ部分に突刺させて、部分的な当該折畳み状態を保持するシート突刺部を備えた折畳み状態保持具を使用し、前記シートの特定の一辺の側のみを折畳み方向と直交する方向に沿って所定長に亘って部分的に折り畳んで、シートにおける部分的な当該折畳み部に前記折畳み状態保持具の突刺部を突刺させて、シートの部分的な折畳み状態を保持しておいて、前記シートの前記特定の一辺と対向する対向辺の側において、当該シートを折畳み方向と直交する方向に引っ張りながら、前記特定の一辺の側と同一の状態に折り畳むことを特徴としている。
【００１７】
請求項１の発明は、鳩目引掛け具の鳩目引掛け部に鳩目付シートの鳩目を挿入して引っ掛けることで、当該鳩目付シートの折畳み状態を保持しているのに対して、請求項２の発明は、部分的に折り畳まれた鳩目なしシートを直接に折畳み状態保持具の突刺部に突刺させることで、当該鳩目なしシートの部分的な折り畳み状態を保持している点に特徴を有する。このように、請求項１と同２の各発明の差異は、部分的に折り畳まれた鳩目付又は鳩目なしのシートの折畳み状態を保持する手段が異なるのみであって、部分的な折り畳み状態を保持した状態において、特定の一辺の側（部分的な折畳み状態となっている側）と対向する側において、当該鳩目付又は鳩目なしのシートを引っ張って、前記特定の一辺の側と同一の状態に折り畳むことは共通している。
【００１８】
請求項３の発明は、請求項１又は２の発明において、鳩目付又は鳩目なしのシートの特定の一辺の側の折畳み方向と直交する方向に沿った所定長の部分を１又は複数回だけ折り畳んで最終的な折畳み状態にしておいて、前記シートの前記特定の一辺と対向する対向辺の側において、当該シートを折畳み方向と直交する方向に沿って引っ張りながら、前記特定の一辺の側と同一回数だけ折り畳むことで、前記鳩目引掛け具からシートの前記対向辺の側への折畳み作業者の単に１回の移動により、当該シートの折り畳みを可能にしたことを特徴としている。
【００１９】
請求項３の発明によれば、鳩目引掛け具又は折畳み状態保持具の部分において、シートの一方の辺の側を１又は複数回だけ折り畳んで、最終的な折り畳み状態にしておくことで、作業者は、当該鳩目引掛け具の部分から当該シートの一方の辺と対向する対向辺の側に１回だけ移動するのみで、一人の作業者により、シートを折り畳むことが可能となる。その結果、シートの折畳みの能率が高まる。
【００２０】
請求項４の発明は、作業現場の適所に固定されて、請求項１又は３に記載の鳩目付のシートの折畳み方法に使用される鳩目引掛け具であって、前記シートの特定の一辺の側において折畳み方向と直交する方向に沿って所定長だけ部分的に重ね合せることで、前記特定の一辺の側においてほぼ重ね合せられた複数の鳩目を挿入して引っ掛けるための鳩目引掛け部を備えていることを特徴としている。
【００２１】
請求項４の発明によれば、鳩目引掛け部を備えるという極めて簡単な構成の鳩目引掛け具の使用により、請求項１又は３の発明を実施できて、一人の作業者により、シートを迅速、かつ整然と折り畳むことが可能となる。
【００２２】
請求項５の発明は、請求項４の発明において、作業現場の適所に固定される固定部と、当該固定部に対して遊動可能に連結された一対の鳩目引掛け部とから成ることを特徴としている。
【００２３】
請求項５の発明によれば、作業現場の適所に固定される固定部に対して一対の鳩目引掛け部が遊動可能に連結されているために、シートの対向辺の側において、当該シートの未折畳み側を引っ張りながら折り畳む場合において、シートの一辺の側において、当該シートの折り畳みにより重ね合せられた状態で、鳩目引掛け部に挿入されている複数の鳩目の部分に任意の方向の力が作用しても、当該複数の鳩目の部分は、任意の方向の力の作用方向に対応して、鳩目引掛け具の鳩目引掛け部は、固定部に対して任意の方向に遊動することで、シートの捩り等を解消できるため、シートを整然と折り畳むことができる。
【００２４】
また、請求項５の発明によれば、一対の鳩目引掛け部を備えているために、２枚のシートの特定の一辺の側において、当該２枚のシートにおける特定の一辺の部分を折り畳んで、まとめて鳩目引掛け具に固定できるため、鳩目引掛け具の側から、シートの対向辺の側への作業者の移動は、計２枚のシートに対して１回で済む。よって、シートの折畳みの能率が一層に高められる。
【００２５】
請求項６の発明は、作業現場の適所に固定されて、請求項２又は３に記載の鳩目なしのシートの折畳み方法に使用される折畳み状態保持具であって、前記シートの特定の一辺の側において折畳み方向と直交する方向に沿って所定長だけ部分的に重ね合せて折り畳んだ部分に突刺させて、部分的な当該折畳み状態を保持するシート突刺部を備えていることを特徴としている。
【００２６】
請求項６の発明によれば、突刺部を備えるという極めて簡単な構成の折畳み状態保持具の使用により、請求項２又は３の発明を実施できて、一人の作業者により、鳩目なしのシートを迅速、かつ整然と折り畳むことが可能となる。
【００２７】
請求項７の発明は、請求項４の発明において、鳩目引掛け具は、１本の太い金属線を折り曲げて形成されていることを特徴としている。
【００２８】
請求項７の発明によれば、番線と称される太い金属線を折り曲げるという簡単な方法によって、シートの特定の一辺の側を折り畳むことで重ね合せられた複数の鳩目を抜け出ることなく、引っ掛けることができる。
【００２９】
請求項８の発明は、請求項６の発明において、折畳み状態保持具は、１本の太い金属線を折り曲げて形成されていることを特徴としている。
【００３０】
請求項８の発明によれば、番線と称される太い金属線を折り曲げるという簡単な方法によって、鳩目なしシートの特定の一辺の側を折り畳むことで重ね合せられた部分に対して突刺させることで、当該鳩目なしシートの折畳み状態を保持できる。
【発明の効果】
【００３１】
本発明によれば、鳩目付シートの特定の一辺の側を部分的に折り畳むことで、重ね合せられた複数の鳩目を、鳩目引掛け具の鳩目引掛け部に挿入して引っ掛けておいて、又は、鳩目なしシートの特定の一辺の側を部分的に折り畳むことで、重ね合せられた部分に対して折畳み状態保持具の突刺部を突刺させることで、折畳み状態を保持しておいて、鳩目付又は鳩目なしのシートにおける前記特定の一辺の対向する対向辺の側を引っ張った状態で、シートの未折畳み部を折り畳むことで、恰も二人の作業者によりシートを折り畳む状態を実現できるため、シートの折り畳みを一人の作業者により、迅速で、しかも整然と行える。また、鳩目引掛け具を用いてシートを折り畳んだ場合には、シートの損傷が防止される。
【図面の簡単な説明】
【００３２】
【図１】（ａ），（ｂ），（ｃ）は、それぞれ鳩目引掛け具Ｅ1 の斜視図、異なる方向から見た斜視図、及び平面図である。
【図２】（ａ），（ｂ）は、それぞれ展開状の鳩目付のシートＳ1 の斜視図、及び四つ折りに折り畳まれたシートＳ1bの鳩目Ｐ1 〜Ｐ3 の配置位置を主体に示す部分斜視図である。
【図３】（ａ）〜（ｅ）は、鳩目引掛け具Ｅ1 を使用して、一人の作業者ＭによりシートＳ1 が四つ折りに折り畳まれる順序を示す模式図である。
【図４】図３の（ｃ）の状態を示す斜視図である。
【図５】図３の（ｄ）の状態を示す斜視図である。
【図６】（ａ）は、四つ折りに折り畳まれたシートＳ1bの斜視図であり、（ｂ）は、シートＳ1bを巻回状態に折り畳んだシートＳ1cの側面図である。
【図７】鳩目引掛け具Ｅ1 の一対の鳩目引掛け部６に２枚のシートＳ1bの鳩目Ｐ1 〜Ｐ3 をそれぞれ引っ掛けた状態の斜視図である。
【図８】（ａ），（ｂ）は、それぞれ鳩目付のシートＳ2 の斜視図、及び当該シートＳ2 を八つ折りに折り畳んだ状態を鳩目Ｐ1 〜Ｐ4 の配置との関係で示した部分斜視図である。
【図９】（ａ），（ｂ）は、いずれも実施例１の鳩目引掛け具Ｅ1 を構成する一対の鳩目引掛け部６を備えた鳩目引掛け体２のみで使用する状態を示す斜視図である。
【図１０】（ａ），（ｂ），（ｃ）は、それぞれ実施例２の鳩目引掛け具Ｅ2 の使用状態の斜視図、異なる方向から見た斜視図、及び側面図である。
【図１１】（ａ）は、折畳み状態保持具Ｅ3 を使用して鳩目なしシートＳ3 の折畳み状態を保持している斜視図であり、（ｂ）及び（ｃ）は、折畳み状態保持具Ｅ3 を異なる方向から見た斜視図、及び側面図である。
【図１２】（ａ），（ｂ）は、それぞれ本来の鳩目Ｐを有するシートＳ1 （Ｓ2 ）及び繊維鳩目と称される孔部５２を有するシートＳ’の部分斜視図である。
【発明を実施するための形態】
【００３３】
以下、複数の実施例を挙げて、本発明を更に詳細に説明する。
【実施例１】
【００３４】
最初に実施例１の鳩目引掛け具Ｅ1 及び当該鳩目引掛け具Ｅ1 を使用したシートの折畳み方法について説明する。鳩目引掛け具Ｅ1 は、図１に示されるように、作業現場の適所に引っ掛けて固定される引掛け固定体１と、当該引掛け固定体１に遊動可能に連結された鳩目引掛け体２とから成る。引掛け固定体１は、金属板の一端部がコの字形に折り曲げられて引掛け固定部３が形成されていると共に、その他端部のＬ字形に折り曲げられた部分に、線材挿通孔４が形成された構成である。
【００３５】
鳩目引掛け体２は、番線と称される太い金属線を折り曲げることで、長さ方向の中央部に、前記引掛け固定体１の線材挿通孔４に遊動状態で挿通されて係止される側面視でほぼリング形状の遊動係止部５が設けられていると共に、当該遊動係止部５の両側には、正面視において当該遊動係止部５に対してほぼ対称な形状となる一対の鳩目引掛け部６がそれぞれ設けられている。鳩目引掛け部６は、太い金属線の長手方向の中央部の遊動係止部５の両側の部分が、鳩目付きのシートＳ1 （Ｓ2 ）の特定の一辺の側を折り畳むことで重ね合せられた複数の鳩目Ｐの挿入及び抜出し防止の双方を行える形状に、ほぼ同一面内において折り曲げられたものである。鳩目引掛け部６における金属線の端部は、他の部分の折り曲げ方向とは逆の方向に折り曲げられて鳩目Ｐの挿入部６ａとなっていて、当該挿入部６ａに接続する直線部は、挿入された鳩目Ｐを奥側の引掛け係止部６ｃ，６ｄに案内する案内部６ｂとなっている。連続した短直線状の引掛け係止部６ｃ，６ｄは、鈍角を形成していて、当該引掛け係止部６ｃ，６ｄに引っ掛けられた複数の鳩目Ｐは、鳩目引掛け部６を形成する金属線の折り曲げによる複雑な形状、及びシートＳ1 （Ｓ2 ）に作用する引張り力により、当該鳩目引掛け部６から抜け出ない構造になっている。また、鳩目引掛け部６を構成する各部分のうち、挿入部６ａのみが他の複数の部分と反対側に折り曲げられることで、一度挿入されて引っ掛けられたシートＳ1 （Ｓ2 ）の鳩目Ｐが抜け出るのが難しい形状にしてある。
【００３６】
図２に示される長方形状シートＳ1 は、計４辺の各周縁部がそれぞれ補強され、シートＳ1 の各コーナー部に鳩目Ｐが設けられていると共に、計４辺の各周縁部には、複数の鳩目Ｐが一定ピッチをおいて設けられている。シートＳ1 の短辺の部分には、両端の各コーナー部の鳩目Ｐを除いて計３つの鳩目Ｐが一定ピッチをおいて設けられている。ここで、シートＳ1 の折り畳みの説明との関係において、シートＳ1 の短辺部（両コーナー部を含む）に設けられた複数の鳩目Ｐを特定する場合には、鳩目の符号「Ｐ」に添字を付して、Ｐ1 ，Ｐ2 ，Ｐ3 のように表示する。図２（ｂ）は、シートＳ1 を短辺方向に沿って４つ折りに折り畳んだ状態において、短辺部の両端（コーナー部）の２つの鳩目Ｐ1 と中央部の１つの鳩目Ｐ2 とが重ね合せられて、この計３つの各鳩目Ｐ1 ，Ｐ3 が、鳩目引掛け具Ｅ1 の鳩目引掛け体２を構成する鳩目引掛け部６に引っ掛けられる。
【００３７】
次に、図３〜図６を参照して、上記した鳩目引掛け具Ｅ1 を使用して、シートＳ1 を作業者一人で折り畳む方法について説明する。まず、図４に示されるように、作業現場の近くにおいて、鳩目引掛け具Ｅ1 を引っ掛けられる部分を探し出し、当該鳩目引掛け具Ｅ1 の引掛け固定体１の引掛け固定部３を引っ掛けて固定する。図示例では、作業現場の近辺の金網フェンス４１を使用し、当該金網フェンス４１の水平方向の金属線４２ａに引掛け固定部３を引っ掛けることで、引掛け固定体１の両側の垂直方向の金属線４２ｂによって、水平方向への大きな移動が防止された状態で、前記した水平方向の金属線４２ａに固定される。
【００３８】
まず、図３（ａ），（ｂ）及び図４に示されるように、一人の作業者Ｍは、長方形状のシートＳ1 の一方の短辺部を二つに折り畳んで、当該短辺部の両端（コーナー部）の２つの鳩目Ｐ1 を、鳩目引掛け体２の鳩目引掛け部６を構成する挿入部６ａに挿入した後に、案内部６ｂを通過させて、引掛け係止部６ｃ，６ｄの部分に係止させる。その後に、図３（ｃ）に示されるように、二つ折りに折り畳まれたシートＳ1 を更に二つ折りに折り畳んで、前記短辺部の中央の鳩目Ｐ2 を鳩目引掛け体２の引掛け係止部６ｃ，６ｄに係止させる。この係止状態が、図４に拡大して示されており、シートＳ1 の特定の一辺の側である一方の短辺部の側は、折畳み方向と直交するシートＳ1 の長手方向に沿った途中まで、不完全な状態で四つ折りされていて、前記特定の一辺と対向する対向辺である他方の短辺部の側においては、シートＳ1 は、１枚状に拡げられたままで、全く折り畳まれていない。
【００３９】
次に、作業者Ｍは、シートＳ1 の他方の短辺部の側に移動して、図３（ｃ）及び図４に示されるように、当該他方の短辺部において、シートＳ1 に長辺方向に沿った張力Ｔを加えることで引っ張りながら、両端部である各コーナー部の鳩目Ｐ1 の部分を掴んで二つ折りに折り畳んだ後に、図３（ｄ）及び図５に示されるように、二つ折りにされたシートＳ1aの両端部を掴んで、更に二つ折りに折り畳むと、シートＳ1aは、図６（ａ）に示されるように、四つ折りに折り畳まれたシートＳ1bとなる。このように、鳩目引掛け具Ｅ1 の使用によって、シートＳ1 の一方の短辺部の鳩目Ｐ1 ，Ｐ2 を鳩目引掛け部６に引っ掛けて、シートＳ1 の他方の短辺部を引っ張りながら折り畳むことができ、この状態は、恰も、二人の作業者がシートＳ1 を引っ張りながら折り畳んでいる状態と同一である。このため、一人の作業者により、シートＳ1 を迅速に、しかも皺類が発生することなく、整然と折り畳むことができる。なお、図３（ｂ）〜（ｄ）において、Ｓ1a, Ｓ1bは、それぞれシートＳ1 を完全に四つ折りする途中において、部分的に二つ折り又は四つ折りされた部分を示す。
【００４０】
また、シートＳ1 （Ｓ1a) を引っ張りながら折り畳む際には、鳩目引掛け具Ｅ1 の鳩目引掛け体２の部分に張力が作用するが、当該鳩目引掛け体２は、引掛け固定体１の線材挿通孔４に対して遊動状態で挿通されて係止されているため、張力の作用方向に応じて、自在に向きが変えられるため、シートＳ1 （Ｓ1a) が捩じられた状態で折り畳まれることがなくなって、シートを損傷させることなく、常に整然と折り畳むことが可能となる。なお、図３において、６は、二つ折り又は四つ折りとなったシートＳ1a（Ｓ1b) の鳩目Ｐ1 ，Ｐ2 に挿通された鳩目引掛け具Ｅ1 の鳩目引掛け体２を構成する鳩目引掛け部６を直線的に模式表示したものである。
【００４１】
なお、四つ折りに折り畳まれたシートＳ1bは、図６に示されるように、長手方向に沿って巻回状態で折り畳むことで、直交する２方向に折り畳まれたシートＳ1cとなる。
【００４２】
鳩目引掛け具Ｅ1 は、図７に示されるように、一対の鳩目引掛け部６に、部分的に四つ折りされた２枚のシートＳ1bの鳩目Ｐ1 ，Ｐ2 をそれぞれ引っ掛けることができるので、２枚のシートＳ1 の一方の短辺部の側を部分的に四つ折りにして、各鳩目Ｐ1 ，Ｐ2 を一対の鳩目引掛け部６にそれぞれ引っ掛けた後に、２枚のシートＳ1 の他方の短辺部の側に移動して、当該２枚のシートＳ1 をそれぞれ四つ折りに折り畳むことができるので、折畳みの能率が一層に高められる。また、鳩目引掛け具Ｅ1 を構成する一対の鳩目引掛け部６に、それぞれ２枚のシートＳ1 の各鳩目Ｐ1 ，Ｐ2 が引っ掛けられて、当該一対の鳩目引掛け部６は、力的に左右にバランスして、大きく遊動しなくなる結果、シートＳ1 の折畳み時において、鳩目引掛け部６に引っ掛けた側の捩じれも少なくなって、シートＳ1 の折畳み作業も容易となる。
【００４３】
図８に示されるシートＳ2 は、短辺部に計９個の鳩目Ｐ1 〜Ｐ4 が一定ピッチで設けられていて、当該シートＳ2 を八つ折りして折り畳む場合において、折畳み状態においてほぼ重ね合せられて、鳩目引掛け具Ｅ1 の鳩目引掛け部６に挿通して引っ掛けられる鳩目Ｐ1 〜Ｐ3 と、引っ掛けられない鳩目Ｐ4 とを示している。本発明に係る鳩目引掛け具Ｅ1 を使用すれば、シートＳ2 を八つ折りで折り畳む場合においても、一人の作業者により行える。
【００４４】
また、シートＳ2 を八つ折りする場合には、折り畳み数が多いので、鳩目引掛け具と対向辺の部分を作業者が一往復半することで、一旦、完全に四つ折りした後に、更に、折り畳んで八つ折りにすることも可能である。
【００４５】
なお、上記した鳩目引掛け具Ｅ1 の使用に関しては、図９に示されるように、引掛け固定体１の使用を止めて、左右一対の鳩目引掛け部６を備えた鳩目引掛け体２のみを使用して、シートＳ1 （Ｓ2 ）を折り畳むことで、重ね合せられた複数の鳩目Ｐを引っ掛けることも可能である。即ち、図９（ａ）は、工事現場の近辺の電柱４３に番線（金属線）４４を巻き付けた状態で固定し、前記鳩目引掛け体２の遊動係止部５を前記番線４４に、ほぼ全方向に遊動状態で引っ掛けることが可能である。また、図９（ｂ）は、金網フェンス４１の金属線４２ａに直接に鳩目引掛け体２を遊動状態で引っ掛けたものである。
【００４６】
なお、シートＳ1 （Ｓ2 ）の特定の一辺の側において、鳩目引掛け具Ｅ1 の引掛け係止部６ｃ，６ｄにシートＳ1 （Ｓ2 ）の各鳩目Ｐ1 〜Ｐ3 （Ｐ4 ）を挿入し引っ掛ける場合においても、互いに重ね合せられた全ての鳩目Ｐ1 ，Ｐ2 （Ｐ1 〜Ｐ3 ）を引っ掛ける必要はなく、その一部の引っ掛けを欠落させたり、或いはシートＳ1 （Ｓ2 ）自体に突刺させてもよい。
【実施例２】
【００４７】
図１０に示される鳩目引掛け具Ｅ2 は、１本の番線（金属線）を折り曲げて形成され、当該番線を正面視でＵ字状に折り曲げて、Ｕ字部の両端部をそれぞれ逆Ｕ字状に折り曲げることで形成された引掛け固定部１３と、当該引掛け固定部１３の両側に接続された一対の鳩目引掛け部１６とから成る。鳩目引掛け部１６は、引掛け固定部１３の逆Ｕ字状部の下端部から前方に向けてほぼ直角に折り曲げられた係止空間確保部１６ａと、当該係止空間確保部１６ａから外方であって僅かに前方に向けて折り曲げられた引掛け係止部１６ｂと、当該引掛け係止部１６ｂの外側の端部を上方に向けて鋭角状に折り曲げることで形成された挿入部１６ｃとで構成される。
【００４８】
例えば、図１０（ａ）に示されるように、鳩目引掛け具Ｅ2 の引掛け固定部１３を、足場の支柱６１に溶接されたフック６２に引っ掛けられる。鳩目引掛け部１６の挿入部１６ｃから挿入された複数の鳩目Ｐは、引掛け係止部１６ｂに引っ掛けられることで、容易には抜け出ない形状になっている。足場の支柱６１は、必ず存在するので、そのフック６２に引っ掛けるのに便利である。
【実施例３】
【００４９】
上記各実施例１，２は、鳩目引掛け具Ｅ1 ，Ｅ2 を使用して、その引掛け係止部６ｃ，６ｄ（１６ｂ）に、鳩目付のシートＳ1 （Ｓ2 ）の鳩目Ｐ1 ，Ｐ2 （Ｐ1 〜Ｐ3 ）を挿入して引っ掛けることで、シートＳ1 （Ｓ2 ）の特定の一辺の側の部分的な折畳み状態を保持するものである。しかし、本発明（請求項２の発明）においては、折畳み状態保持具Ｅ3 の使用により、鳩目なしシートＳ3 の特定の一辺の側の折り畳み状態の保持が可能となる。
【００５０】
上記した折畳み状態保持具Ｅ3 は、図１１に示されており、１本の番線を折り曲げて形成されたものであって、番線を逆Ｕ字状に折り曲げた引掛け固定部２３と、当該引掛け固定部２３の逆Ｕ字部の一方の端部からわん曲されてほぼ水平方向に延設された固定補助部２４と、突刺引掛け部２６とで構成される。突刺引掛け部２６は、前記引掛け固定部２３の逆Ｕ字部の他方の端部が前方に向けて直角に折り曲げられ、所定長だけ水平方向に伸びることで形成された係止空間確保部２６ａと、当該係止空間確保部２６ａの端部が上方にほぼ直角に折り曲げられることで形成された引掛け係止部２６ｂと、当該引掛け係止部２６ｂの上端部が僅かに折り曲げられることで形成された突刺部２６ｃとから成る。突刺部２６ｃは、鳩目なしシートＳ3 の挿入部を兼用していて、その先端部は、鳩目なしシートＳ3 に対して突刺可能なように、先細りとなっている。
【００５１】
図１１（ａ）に示されるように、折畳み状態保持具Ｅ3 の引掛け固定部２３及び固定補助部２４を、それぞれを金網フェンス４１の水平方向及び垂直方向の金属線４２ａ，４２ｂに引っ掛けることで、折畳み状態保持具Ｅ3 は、金網フェンス４１を構成する水平方向及び垂直方向の金属線４２ａ，４２ｂに固定される。この状態では、引掛け係止部２６ｂは、係止空間確保部２６ａの存在によって、金網フェンス４１に対して所定長だけ離れて配置される。鳩目なしシートＳ3 の特定の一辺の側を折り畳むことで、その折畳み状態を保持できるように、部分的な折畳み部に対して前記折畳み状態保持具Ｅ3 の突刺部２６ｃを突刺させる。
【００５２】
なお、鳩目なしシートＳ3 としては、ロール状に巻回されたシートを現場で巻き戻して、建築中の建物の床面の養生シートとして利用するものが典型例であって、この養生用シートを折り畳んで、再使用する場合に、本発明が実施される。
【００５３】
また、本発明の鳩目付シートの折畳み方法の実施に使用される鳩目引掛け具として、実施例１，２の各鳩目引掛け具Ｅ1 ，Ｅ2 を例示したが、本発明に係る鳩目引掛け具としては、シートＳ1 （Ｓ2 ）を折り畳むことで、互いに重ね合せられた複数の鳩目Ｐを抜け出ることなく引っ掛けられる形状の「鳩目引掛け部」を備えておれば、上記した鳩目引掛け具Ｅ1 ，Ｅ2 に限定されず、如何なる形状であってもよい。
【００５４】
鳩目引掛け具を引っ掛けて固定する対象物としては、上記したもの以外に、トラックの荷台部分に番線を縛り付けて形成した引掛け具も考えられる。
【符号の説明】
【００５５】
Ｅ1 ，Ｅ2 ：鳩目引掛け具
Ｅ3 ：折畳み状態保持具
Ｍ：作業者
Ｐ，Ｐ1 〜Ｐ4 ：鳩目
Ｓ1 ，Ｓ2 ：鳩目付シート
Ｓ3 ：鳩目なしシート
Ｓ1a：二つ折りに折り畳まれた鳩目付シート又は鳩目付シートの二つ折りに折り畳まれた部分
Ｓ1b：四つ折りに折り畳まれた鳩目付シート又は鳩目付シートの四つ折りに折り畳まれた部分
Ｓ1c：直交する２方向に折り畳まれた鳩目付シート
１：引掛け固定体
２：鳩目引掛け体
３，１３，２３：引掛け固定部
６，１６：鳩目引掛け部
２６：突刺引掛け部
６c,６d,１６b,２６b ：引掛け係止部
【図１】
2016023447.tif 000003
【図２】
2016023447.tif 000004
【図３】
2016023447.tif 000005
【図４】
2016023447.tif 000006
【図５】
2016023447.tif 000007
【図６】
2016023447.tif 000008
【図７】
2016023447.tif 000009
【図８】
2016023447.tif 000010
【図９】
2016023447.tif 000011
【図１０】
2016023447.tif 000012
【図１１】
2016023447.tif 000013
【図１２】
2016023447.tif 000014